(57)【特許請求の範囲】
【請求項１】
モータ軸と直結したフライホイールの回転により該フライホイールの内壁に当接したローラーを回転させてローラーを自転しつつ公転させ、該ローラーの公転によりハンマーを加圧し、該ハンマーを介してダイスを加圧し、これにより所定断面形状の線材を加工するスエージングマシンにおいて、一側に前記ダイスとハンマーとを内外放射状に保持したホルダーの一側を、前記ローラーの内側へ嵌入し、他側をスエージングハウジング内に着脱自在に固定したことを特徴とする異形断面形の線材加工用スエージングマシン。
【請求項２】
モータ軸と直結したフライホィールの内腔にローラーラックを介してローラーを嵌入架設し、前記フライホイールの内壁に当接したローラーを自転しつつ公転させ、該ローラーの公転によりハンマーを加圧させて、該ハンマーを介してダイスを加圧し、これにより所定断面形状の線材を加工するスエージングマシンにおいて、一側に前記ダイスとハンマーとを内外放射状に保持したホルダーの一側を、前記ローラーの内側へ嵌入し、他側をスエージングハウジング内に着脱自在に固定したことを特徴とする異形断面形の線材加工用スエージングマシン。
【請求項３】
スエージングハウジングの下部に、卓上設置用のベースを連結し、上部に手持部材を固定したことを特徴とする請求項１又は２記載の異形断面形の線材加工用スエージングマシン。
【請求項４】
ホルダーは一側にダイスハウジングとの固定用の鍔を設け、他側に筒状部を設けてその側壁に、ダイス及びハンマーを嵌入支持する案内溝を等間隔に穿設し、前記筒状部端面にカバーを固定したことを特徴とする請求項１又は２記載の異形断面形の線材加工用スエージングマシン。
【発明の詳細な説明】
【０００１】
【産業上の利用分野】
この発明は卓上スエージングマシンにおいて、線材加工時に、ダイスが線材を定位置加工（線材が回転しない）するようにしたことを目的とする異形断面形の線材加工用スエージングマシンに関するものである。
【０００２】
【従来の技術】
従来スエージングマシンおいては、ダイスが回転するので、必然的に線材も回転するようになっていた。
【０００３】
また従来ハンマー及びダイスはスエージングハウジング内の案内部材間に放射方向摺動自在に嵌入され、前記案内部材はハウジングカバーにより定位置に保持されていた。
【０００４】
また、小型卓上式スエージングマシンにおいては、モータ軸と、ハンマー及びローラーの回転手段とを直結している装置もあった（特公昭５１−３１２３２号公報）。
【０００５】
【発明により解決すべき課題】
前記、従来のスエージングマシンは、ハンマー及びダイスの案内部材を回転して、線材を加工するので、必然的に線材が回転し、異形断面形の線材を正確に成形することがむつかしい問題点があった。
【０００６】
然して従来被加工線材の挿入孔と、前記案内部材（本願発明のホルダーに相当）とは一体的でない為に、被加工線材の断面形状が円形（丸線）以外の場合には、正確な断面形状になり難い問題点があった。
【０００７】
また、小型スエージングマシンにおいては、モータ軸と、案内部材とを直結して、ハンマー及びダイスに回転力を与えており、その質量によりフライホイールの役目を果すことができるが、案内部材を固定した場合にはフライホイールを別設しなければ、回転力の均一性を保ち難い問題点があった。
【０００８】
【課題を解決するための手段】
然るにこの発明は、フライホイールを利用してローラーに回転力を伝達すると共に、ハンマーとダイスとを同一ホルダーにセットし、ホルダーをスエージングハウジング内へ固定したので、被加工線材は定位置加工され、異形断面線の外形を正確に成形することに成功したのである。この発明は、モータ軸にフライホイールを直結し、フライホイールによりローラーを自転、公転させるようにしたものである。またダイスはホルダーにより定位置に保持され、線材に回転力を与えることなく定位置加工を行うことができる。
【０００９】
即ちこの発明は、モータ軸と直結したフライホイールの回転により該フライホイールの内壁に当接したローラーを回転させてローラーを自転しつつ公転させ、該ローラーの公転によりハンマーを加圧し、該ハンマーを介してダイスを加圧し、これにより所定断面形状の線材を加工するスエージングマシンにおいて、一側に前記ダイスとハンマーとを内外放射状に保持したホルダーの一側を、前記ローラーの内側へ嵌入し、他側をスエージングハウジング内に着脱自在に固定したことを特徴とする異形断面形の線材加工用スエージングマシンである。
【００１０】
また他の発明は、モータ軸と直結したフライホィールの内腔にローラーラックを介してローラーを嵌入架設し、前記フライホイールの内壁に当接したローラーを自転しつつ公転させ、該ローラーの公転によりハンマーを加圧させて、該ハンマーを介してダイスを加圧し、これにより所定断面形状の線材を加工するスエージングマシンにおいて、一側に前記ダイスとハンマーとを内外放射状に保持したホルダーの一側を、前記ローラーの内側へ嵌入し、他側をスエージングハウジング内に着脱自在に固定したことを特徴とする異形断面形の線材加工用スエージングマシンである。
【００１１】
次に各部はスエージングハウジングの下部に、卓上設置用のベースを連結し、上部に手持部材を固定したものであり、ホルダーは一側にダイスハウジングとの固定用の鍔を設け、他側に筒状部を設けてその側壁に、ダイス及びハンマーを嵌入支持する案内溝を等間隔に穿設し、前記筒状部端面にカバーを固定したものである。
【００１２】
前記において、スエージングマシンのハウジングはほぼ密閉されているので、その一部の孔（図示してない）から、オイルミストを圧入すれば、スエージングマシンの移動及び接触各部（ローラー、ハンマー、ダイス等）はオイルミストの雰囲気内で動作することになり、加工時の発熱等があっても適宜冷却されると共に、オイルミストが有効な潤滑剤となって、各部を保護し、連続長時間運転することができる。
【００１３】
然して、モータ直結であるから、電圧制御などによってローラーの回転制御が容易であり、ダイス及びハンマーは、ホルダーの交換により任意の寸法形状のものと適時交換することができる。従って磨耗・損傷時の交換はもとより、加工すべき線材の断面形状又は寸法の変化にも容易に対応することができる。
【００１４】
尚ダイスの形状及びモータ軸の中心孔の有無などにより長大な線材の加工、又は短線材の加工の何れにも対応し得ると共に、卓上型においては、スエージングマシンの設置位置の移動なども容易にできる。
【００１５】
【作用】
この発明は、フライホイールによってローラーを保持させることにより、全体をコンパクトに出来ると共に、フライホイールの別設による回転軸の捻れがなくなる。
【００１６】
またダイス及びハンマーのホルダーを一体的かつ取換え可能としたので、スエージングマシン外でセットし（セットしたものを用意し）簡単に取換えて使用することができる。
【００１７】
【実施例１】
ベース１上に、スエージングハウジング２の下壁２ａを固定し、スエージングハウジング２の側壁２ｂに、モータ３の取付板４を当接してモータ３の軸５が水平方向になるように架設固定する。
【００１８】
前記軸５の先端にフライホイール６のボス７を固定し、フライホイール６の筒状部８の内腔９に、筒状のローラーラック１０を嵌挿し、該ローラーラック１０の側壁に設けた等間隔の弧状溝１１内へローラー１２を夫々回転自在に嵌挿する。この実施例においては、弧状溝１１を８個設けたけれども、この数に限定はないので、通常４個〜１６個使用することができるが、卓上型の通常の大きさで好ましくは４個〜８個である。前記スエージングハウジング２の前面（図１中右側面）に、ハウジングカバー１３が固定され、ハウジングカバー１３の中央部にホルダー１４を嵌入する透孔１５が設けられている。前記ホルダー１４は一側に鍔１６を設け、他側に筒状部１７を設けて、該筒状部１７の側壁に、ダイス１８と、ハンマー１９を順次嵌入支持する案内溝２０を等間隔に嵌穿してある。案内溝２０の数に限定はないが、実施例は４個である。案内溝２０の数は、前記弧状溝１１の数より通常少なくし、２個〜８個であって、好ましくは４個〜６個である。要するに、別組のダイスと同時加圧することは避けた方がよい場合が多い。図中２１は筒状部のカバー、２２は硬化ライナー、２７は手持部、２８はカバー固定ボルト、２９はフライホイール固定ボルトである。
【００１９】
前記実施例において、モータ３を始動すると、軸５の回転により、フライホイール６が図２中矢示２３の方向へ回転すると、ローラー１２も矢示２４の方向へ自転しつつ、矢示２３の方向へ公転する。ローラー１２がハンマー１９の外壁に達すると、ハンマー１９を矢示２５の方向へ加圧しつつ転動する。即ちハンマー１９の後壁１９ａは、図２のように断面弧状に膨出しているので、その膨出量だけ、ハンマー１９を矢示２５の方向へ加圧することにまなり、ハンマー１９に押されたダイス１８も同方向へ移動し、被加工線材２６を、ダイス１８の孔形に従って加圧成形する。この場合にダイス１８は定位置で線材を加圧するので、線製品はダイス孔形状による正確な断面形状となる。
【００２０】
例えば２輪車の回転計などに使用する回転力伝達条は、捻り線の先端に嵌合突起があるが、この捻り線は自由に回転するので、加工時に回転外力が加えられると、突起の位置がずれ、計器等と正確に嵌合できる断面形状にならないおそれがあるが、この発明によれば前記のような問題点がなくなり、正確な形状で多量生産できる。
【００２１】
【実施例２】
図６に示す実施例は、実施例１におけるダイス１８をホルダー１４の鍔１６側から取出せるようにしたものである。
【００２２】
即ちホルダー１４の鍔１６側の内側に、ダイス１８を挿入し得る大きさの孔３０を設けると共に、孔３０にダイス押え用の環状体３１を当接し、該環状体３１を止リング３２により支持し、止リング３２をホルダー１４の段部３３に掛止したものである。尤もこの構造は一例であるから、従来公知の環状体などの脱抜防止手段を採用することができる。
【００２３】
前記実施例において、止リング３２を外し、環状体３１を取り出すと、ダイス１８を図６中、矢示３４の方向へ引き出すことにより、ホルダー１４を固定したままダイス１８のみを取出すことができる。
【００２４】
【発明の効果】
即ちこの発明によれば、ダイスおよびハンマーのホルダーをスエージングハウジングに固定し、ローラーを回転させたので、被加工線材に回転力を与えることなく、静置状態のままダイスの孔形状に沿って成形する効果がある。またダイスとハンマーをホルダーにセットしたまま交換できるので、交換作業がきわめて簡単であり稼働率を向上させることができる。
【００２５】
更にフライホイールとローラーラックのホルダーを兼用したので、全体をコンパクトにできると共に、フライホイールを別製にした場合のような回転軸の捻りを皆無とすることができる効果もある。
【図面の簡単な説明】
【図１】この発明の実施例の一部を切断した正面図。
【図２】同じく一部縦断拡大正面図。
【図３】同じくホルダーをホルダーカバー側から見た拡大斜視図。
【図４】同じくホルダーの鍔側から見た拡大斜視図。
【図５】同じくローラーラックのローラーを外した拡大斜視図。
【図６】同じく他の実施例の一部を切断した正面図。
【符号の説明】
１  ベース
２  スエージングハウジング
３  モータ
４  取付板
５  軸
６  フライホイール
７  ボス
８  筒状部
９  内腔
１０  ローラーラック
１１  弧状溝
１２  ローラー
１３  ハウジングカバー
１４  ホルダー
１５  透孔
１６  鍔
１７  筒状部
１８  ダイス
１９  ハンマー
２０  案内溝
２１  カバー
２２  硬化ライナー
２６  被加工線材
２７  手持部
２９  フライホイール
３０  孔
３１  環状体
３２  止リング
３３  段部
【図１】
0003590910.tif 000002
【図２】
0003590910.tif 000003
【図３】
0003590910.tif 000004
【図４】
0003590910.tif 000005
【図５】
0003590910.tif 000006
【図６】
0003590910.tif 000007